(57)【要約】【課題】  特別な構成部品を必要とせず簡単な構成で自動補給用メダル投入口へのカバーの取り外しが可能で、しかも自動補給用メダル投入口に自動補給装置との連絡用部品である補給シュートを容易に取り付けることができるメダル貸出機を提供する。【解決手段】筐体背面に形成された自動補給用メダル投入口を閉塞するカバーを有するメダル貸出機において、前記カバーは、前記筐体背面の前記自動補給用メダル投入口周縁裏面に当接する裏面当接板と、前記自動補給用メダル投入口周縁表面に当接する表面当接板とをクロスして配置して成り、該カバーの裏面当接板を前記自動補給用メダル投入口から筐体内部に嵌入させ、前記自動補給用メダル投入口上縁裏面に当接させた後に該自動補給用メダル投入口上縁に着脱自在に取り付け、前記自動補給用メダル投入口周縁を前記裏面当接板と前記表面当接板の間に配置させた。【選択図】  図５
2008099763.tif 000002
【特許請求の範囲】
【請求項１】
筐体に形成された自動補給用メダル投入口と前記自動補給用メダル投入口を閉塞するカバーを有するメダル貸出機において、前記カバーは、前記筐体の前記自動補給用メダル投入口周縁裏面に当接する裏面当接板と、前記自動補給用メダル投入口周縁表面に当接する表面当接板とをクロスして配置して成り、前記カバーの裏面当接板を前記自動補給用メダル投入口から前記筐体内部に嵌入させ、前記自動補給用メダル投入口上縁裏面に当接させた後に該自動補給用メダル投入口上縁に着脱自在に取り付け、前記自動補給用メダル投入口周縁を前記裏面当接板と前記表面当接板の間に配置させた
ことを特徴とするメダル貸出機。
【請求項２】
前記裏面当接板の幅を、前記自動補給用メダル投入口の間口より狭く、かつ高さを前記自動補給用メダル投入口の丈寸法より長く形成するとともに、前記表面当接板の幅を、前記自動補給用メダル投入口の間口より幅広で、かつ高さを前記裏面当接板の高さより短く形成し、該裏面当接板と表面当接板を、前記裏面当接板の縦方向中間より上方に偏倚した位置でクロスさせ、前記裏面当接板を前記自動補給用メダル投入口から前記筐体内部に嵌入させた後、前記カバーを上方に移動させ、該自動補給用メダル投入口周縁上部に着脱自在に取り付けたときに、前記裏面当接板により前記自動補給用メダル投入口を閉塞するとともに前記自動補給用メダル投入口周縁を前記裏面当接板と前記表面当接板の間に位置させた
ことを特徴とする請求項1に記載のメダル貸出機。
【請求項３】
前記裏面当接板を前記自動補給用メダル投入口間口より小幅形状でかつ丈方向に縦長な楕円形状に形成するとともに前記表面当接板を前記自動補給用メダル投入口間口より幅広な楕円形状に形成した
ことを特徴とする請求項1又は請求項２に記載のメダル貸出機。
【請求項４】
前記カバーを取り外した状態の前記自動補給用メダル投入口に、自動補給装置に接続される接続管の接続口と、前記自動補給用メダル投入口との係止片を形成したメダル排出口を有するダクト状の補給シュートを着脱可能に取り付けた
ことを特徴とする請求項１乃至請求項３のいずれかに記載のメダル貸出機。
【請求項５】
前記裏面当接板を前記自動補給用メダル投入口の上縁裏面に当接させた後に該自動補給用メダル投入口上縁に一本の取付部材で着脱自在に取り付けた
ことを特徴とする請求項１乃至請求項４のいずれかに記載のメダル貸出機。
【発明の詳細な説明】
【技術分野】
【０００１】
本発明は、メダル貸出機、特に手補給用メダル貸出機と自動補給装置からメダルの供給を受けるメダル貸出機の両方のタイプに対応可能なメダル貸出機に関する。
【背景技術】
【０００２】
従来、メダル貸出機へのメダル補給は、メダル貸出機の前面の設けた手補給用メダル投入口からメダルを補給タンクに補給する方法と自動補給装置からメダル貸出機の背面に形成した自動補給用メダル投入口を介して補給タンクにメダルを補給する方法の少なくとも一つの方法によって行なわれていた。そして、メダル貸出機側では、そのいずれかの方法にも対応することができるように工夫している。例えば、特開平１１−１１４２０４（特許文献１）には、メダル貸機１Ａ（以下、特許文献１に記載の符号と名称を示す）の、正面板を開放して、係員が手作業でメダルをメダル収容部１１に補給する方法加え、自動補給にも対応できるように、メダル補給装置２から引き出されているメダル流通管３をメダル貸機１Ａに接続してある。即ち、自動補給時には、メダル貸機１Ａの取付板１４に取り付けられた管接続具１５を介してメダルを補給するが、手補給の場合には、カバーで取付板１４に形成された取付孔１４ａ及び菅接続具１５の筒部１５ａの挿入口を閉鎖しておく構成が開示されている。そして、このカバー１６の取り付けは、「管接続具１５を取付板１４に取り付けるとともに、カバー１６を筒部１５ａの挿入口に取り付けることで達成される。従って、メダル補給装置２と組み合わせて用いる場合には、カバー１６を取り外せばよい。一方、メダル補給装置２と組み合わせて用いない場合には、カバー１６を管接続具１５に取り付けたままとしてもよいし、あるいは、一旦、管接続具１５を取り去り、その上で、カバー１６を取付孔１４ａに被せて固定してもよい」と記載されている。
【０００３】
しかしながら、特許文献１に開示された構造では、カバー１６を取り付ける際には、管接続具１５が必要不可欠であり、しかも、いったん管接続具１５を取り去り、その上で、カバー１６を取付孔１４ａに被せて固定してもよい。と記載されているが、この構成の具体的に構成が示されてはいないが、少なくとも管接続具１５の固定する場合と同等の固定構成が不可欠である。このため、管接続具１５（または、それに代わる構成）が不可欠で構成が複雑となり、コストアップの要因となるばかりか、メダル貸機の内部に管接続具１５を配設している関係上、組み付け、取り外しに不便であった。
【０００４】
【特許文献１】特開平１１−１１４２０４「メダル貸出機」
【発明の開示】
【発明が解決しようとする課題】
【０００５】
本発明は、筐体に形成された自動補給用メダル投入口と前記自動補給用メダル投入口を閉塞するカバーを有するメダル貸出機において、前記カバーは、前記筐体の前記自動補給用メダル投入口周縁裏面に当接する裏面当接板と、前記自動補給用メダル投入口周縁表面に当接する表面当接板とをクロスして配置して成り、前記カバーの裏面当接板を前記自動補給用メダル投入口から前記筐体内部に嵌入させ、前記自動補給用メダル投入口上縁裏面に当接させた後に該自動補給用メダル投入口上縁に着脱自在に取り付け、前記自動補給用メダル投入口周縁を前記裏面当接板と前記表面当接板の間に配置させたことにより、特別な構成部品を必要としない極めて簡単な構成で自動補給用メダル投入口へのカバーの取り外しが可能で、しかも、自動補給用メダル投入口に自動補給装置との連絡用部品である補給シュートを容易に取り付けることができるメダル貸出機を提供することを目的とする。
【課題を解決するための手段】
【０００６】
上記の課題を解決するために、本発明は、筐体に形成された自動補給用メダル投入口と前記自動補給用メダル投入口を閉塞するカバーを有するメダル貸出機において、前記カバーは、前記筐体の前記自動補給用メダル投入口周縁裏面に当接する裏面当接板と、前記自動補給用メダル投入口周縁表面に当接する表面当接板とをクロスして配置して成り、前記カバーの裏面当接板を前記自動補給用メダル投入口から前記筐体内部に嵌入させ、前記自動補給用メダル投入口上縁裏面に当接させた後に該自動補給用メダル投入口上縁に着脱自在に取り付け、前記自動補給用メダル投入口周縁を前記裏面当接板と前記表面当接板の間に配置させたものである。
【０００７】
上記のように構成することにより、本発明は、特別な構成部品を必要としない極めて簡単な構成で自動補給用メダル投入口へのカバーの取り外しが可能で、しかも、自動補給用メダル投入口に自動補給装置との連絡用部品である補給シュートを容易に取り付けることができる。
【０００８】
次の発明は、前記裏面当接板の幅を、前記自動補給用メダル投入口の間口より狭く、かつ高さを前記自動補給用メダル投入口の丈寸法より長く形成するとともに、前記表面当接板の幅を、前記自動補給用メダル投入口の間口より幅広で、かつ高さを前記裏面当接板の高さより短く形成し、該裏面当接板と表面当接板を、前記裏面当接板の縦方向中間より上方に偏倚した位置でクロスさせ、前記裏面当接板を前記自動補給用メダル投入口から前記筐体内部に嵌入させた後、前記カバーを上方に移動させ、該自動補給用メダル投入口周縁上部に着脱自在に取り付けたときに、前記裏面当接板により前記自動補給用メダル投入口を閉塞するとともに前記自動補給用メダル投入口周縁を前記裏面当接板と前記表面当接板の間に位置させたものである。
【０００９】
上記のように構成することにより、本発明は、表面当接板を形成した位置が裏面当接板の縦方向中間より上方に偏倚するように構成しているので、表面当接板に対して、縦長方向で見た場合に裏面当接板の上の部分より、下の部分が長く設定されている。このために、裏面当接板の下の部分を自動補給用メダル投入口に嵌入して、その後に上の部分を入れ、全体を上方に移動してカバーを筐体に取り付けたときにも自動補給用メダル投入口の下側は、裏面当接板の下の部分で閉塞され、筐体内部に貯留されているメダルが外に出るようなことがない。当然ながら、外部から異物が筐体内に入るのも防止される。しかも、店員が手作業でメダルを補給する方法のメダル貸出機を出荷する場合には、カバーを自動補給用メダル投入口に取り付けたまま遊技店に搬送すればよく、メダル自動補給装置を使用する場合には、現地で筐体背面とカバーを固定している固定部材を取り外せば、カバーは、自重で下方にスライドする。このとき、カバーは、裏面当接板と表面当接板で自動補給用メダル投入口の側縁をガイドとして下降する。即ち、左右にずれることなく、直下にスライドする。そして、裏面当接板の上の部分が自動補給用メダル投入口の上縁から外れるとカバーは筐体の外方向へ離脱する。このように、手補給方法のメダル貸出機と自動補給方法のメダル貸機に共通して取り付けておいても、カバーの取り外しが極めて簡単容易なため現地での作業時間の短縮が図れ、しかも取り外したカバーが筐体内部に落下することによってメダル貸出機の払出機能を阻害してしまう恐れがない。
【００１０】
次の発明は、前記裏面当接板を前記自動補給用メダル投入口間口より若干小幅形状でかつ丈方向に縦長な楕円形状に形成するとともに前記表面当接板を前記自動補給用メダル投入口間口より幅広な楕円形状に形成したものである。
【００１１】
上記のように構成することにより、本発明は、カバーの形状が曲線上のため、取扱時にカバーの角などでケガなどが発生するような事態は生じ難い。
【００１２】
次の発明は、カバーを取り外した状態の前記自動補給用メダル投入口に、自動補給装置に接続される接続管の接続口と、自動補給用メダル投入口との係止片を形成したメダル排出口を有するダクト状の補給シュートを着脱可能に取り付けたたものである。
【００１３】
上記のように構成することにより、本発明では、補給シュートのメダル貸出機への取り付けは、メダル貸出機の筐体に形成された前記自動補給用メダル投入口に、補給シュートの開口の下縁に形成されている係止片を挿入し下縁に当接させ、そこを支点として、補給シュート全体を上方に回転させると係止片が下縁内側に当接して位置決めされる。このことにより、上部筐体背板と補給シュートの固定部との位置合わせが決定され、その部分をスクリューなどで固定することによって簡単に取り付けが完了する。
【００１４】
次の発明は、前記自動補給用メダル投入口上縁裏面に当接させた後に該自動補給用メダル投入口上縁に一本の取付部材で着脱自在に取り付けたものである。
【００１５】
上記のように構成することにより、本発明では、一本の取付部材の着脱で容易にカバーの着脱ができ、自動補給用メダル投入口に補給シュートを簡単に装着することができ、組付け作業性の向上が図れる。
【発明の効果】
【００１６】
本発明は、筐体に形成された自動補給用メダル投入口と前記自動補給用メダル投入口を閉塞するカバーを有するメダル貸出機において、前記カバーは、前記筐体の前記自動補給用メダル投入口周縁裏面に当接する裏面当接板と、前記自動補給用メダル投入口周縁表面に当接する表面当接板とをクロスして配置して成り、前記カバーの裏面当接板を前記自動補給用メダル投入口から前記筐体内部に嵌入させ、前記自動補給用メダル投入口上縁裏面に当接させた後に該自動補給用メダル投入口上縁に着脱自在に取り付け、前記自動補給用メダル投入口周縁を前記裏面当接板と前記表面当接板の間に配置させたことにより、特別な構成部品を必要としない極めて簡単な構成で自動補給用メダル投入口へのカバーの取り外しが可能で、しかも、自動補給用メダル投入口に自動補給装置との連絡用部品である補給シュートを容易に取り付けることができる。
【発明を実施するための最良の形態】
【００１７】
以下、本発明の一実施例を添付図面に基づいて説明する。図１は、本発明のメダル貸出機を示した正面図、図２は、本発明のメダル貸出機を示した背面図、図３は、本発明の要部拡大側面図である、図４は、図３対応の要部上面図、図５は、カバーの取り付け部分の拡大斜視図である。
【００１８】
本発明のメダル貸出機１は、遊技機であるスロットマシン（図示しない）に隣設され、遊技者の要求に基づいてメダルを貸出するものであって、図１、図２に示すように、全体として、縦長の矩形箱形の筐体を成している。そして、この筐体は、上部筐体１０と下部筐体２０とを上下（図１のＡ−Ａは上部筐体１０と下部筐体２０の境界）に配置して継ぎ手（図示しない）で結合固定することによって組み立てられている。
【００１９】
上部筐体１０は、天板１１と底板１２と側板１３ならびに背板１４を有し、前面が開放された縦長箱形状を成している。そして、上部筐体１０の内部を隔壁１５によって上下に大きく二つに区分して、上方をメダル払出装置などを収納する装置収納部３０として、下方を制御装置を収納する制御収納部４０として二つに分割画成している。
【００２０】
上記の装置収納部３０は、更に、内部を矩形の枠３１で上下に仕切られている。この枠３１の上の空間部分には、補給タンク５０が設けられている。また、下の部分には、メダル払出装置６０が着脱可能に収納されている。また、制御収納部４０には、メダル搬送装置（図示しない）を制御する制御ボックス４１が取り付けられている。そして、補給タンク５０とメダル払出装置６０とは、枠３１で囲まれたメダル通過孔３２で連通されている。
【００２１】
装置収納部３０に設けられた補給タンク５０の前面開口部分には、供給用フロントパネル５３が開閉可能に取り付けられている。この供給用フロントパネル５３の補給タンク５０側には、メダルを手で投入するための手補給用メダル投入口５１が一体的に設けられている。この手補給用メダル投入口５１は、供給用フロントパネル５３が閉じている状態では補給タンク５０の内部に収納されている。そして、この収納された状態においては、手補給用メダル投入口５１のメダルの投入口は、上方を向いている。この状態から下部を支点として供給用フロントパネル５３を前方へ回転させると、補給タンク５０の前面開口部分が開放され、その部分にメダルの投入口が露出する。メダルは、メダルの投入口から投入され、手補給用メダル投入口５１の傾斜面に沿って滑降して、後述する枠３１に形成されているメダル通過孔３２からメダル払出装置６０のホッパー６１内に供給される。尚、供給用フロントパネル５３は、通常は、留め金形式の鍵で上部筐体１に施錠閉塞状態に固定され、メダルの投入時に解錠される。
【００２２】
装置収納部３０の枠３１で上下に仕切られている下の部分から隔壁１５で区分された制御収納部４０の範囲に開口している開口部分は、通常、払出用フロントパネル（図示しない）で、閉塞されている。この払出用フロントパネル（図示しない）は、開口部分に着脱可能に取り付けられている。また、前述した、枠３１で上下に仕切られている下の部分には、メダル払出装置６０が着脱可能に収納されている。
【００２３】
メダル払出装置６０は、上部に配置されたホッパー６１とホッパー６１の下部に配設された払出機６２とで構成され、前述のホッパー６１は、払出機６２に対して着脱可能に取り付けられている。この、メダル払出装置６０の制御は、図示しないが、メダル払出装置６０を収納しているところの枠３１で上下に仕切られた下の部分の背板１４内側に設けられている。
【００２４】
下部筐体２０の内部には、紙幣収納部を有する紙幣識別装置７０が配設され、前面開口部分を識別装置収納部フロントパネル（図示しない）で開閉可能に閉塞されている。
【００２５】
前述の装置収納部３０内部を矩形の枠３１で上下に仕切っている。枠３１から上の部分には、補給タンク５０が設けられている。この補給タンク５０には、手補給用メダル投入口５１から手補給されるメダルの他に、自動補給装置（図示しない）から補給シュート８０を介して供給されるメダルも貯留される。このために、補給タンク５０の背面（上部筐体１０の背板１４に相当する）には、メダルを受け入れるための自動補給用メダル投入口５２が開設され、そこに、補給シュート８０が取り付けられるように構成されている。
【００２６】
この自動補給用メダル投入口５２は、手補給用のメダル貸出機ならびに自動補給用のメダル貸出機の区別に関わりなく開設され、通常、カバー９０を自動補給用メダル投入口５２の上縁部分に形成されている孔５４にスクリュー５５により取り外し可能に固定され、前述の自動補給用メダル投入口５２を閉塞している。
【００２７】
そして、前述の自動補給用メダル投入口５２は、図５に示すように、補給タンク５０の背面（上部筐体１０の背板１４に相当する）に、縦長の長矩形に開設されている。ここで、自動補給用メダル投入口５２の間口（短手方向）をＷ１、丈（縦長方向）をＨ１と定義する。
【００２８】
カバー９は、上端部分（図５の紙面上方向）に取付孔９３を形成した縦長の裏面当接板９１と横長の表面当接板９２を備え、前述の表面当接板９２が裏面当接板９１に対して少なくとも背板１４の板厚ｔ分だけ外方向に突出するようにしてクロス状に組み合わせて形成されている。ここで、裏面当接板９１の幅（短手方向）をＷ２、高さ（縦長方向）をＨ２とし、表面当接板９２の幅（横長方向）をＷ３，高さ（短手方向）をＨ３と定義する。また、裏面当接板９１の上端と表面当接板９２の上端（短手方向）との間隔をＨ４、裏面当接板９１の下端と表面当接板９２の下端（短手方向）との間隔をＨ５と定義する。
【００２９】
カバー９の裏面当接板９１の幅（短手方向）Ｗ２は、自動補給用メダル投入口５２の間口（短手方向）Ｗ１より若干狭く（補給タンク５０に貯留されているメダルが外へこぼれない程度）、高さＨ２は、自動補給用メダル投入口５２の丈（縦長方向）Ｈ１より縦長に形成されている。従って、カバー９を自動補給用メダル投入口５２の上縁部分に形成されている孔５４に取り外し可能に固定した状態では、この裏面当接板９１で自動補給用メダル投入口５２が閉塞された状態となる。
【００３０】
また、横長の表面当接板９２の幅（横長方向）Ｗ３は、自動補給用メダル投入口５２の幅（短手方向）Ｗ１より幅広で、高さＨ３は自動補給用メダル投入口５２の高さ（縦長方向）Ｈ１より短めに形成されている。従って、カバー９を自動補給用メダル投入口５２の上縁部分に形成されている孔５４に取り外し可能に固定した状態では、自動補給用メダル投入口５２の間口より側縁外方に突出している。そして、縦長の裏面当接板９１に対して、横長の表面当接板９２は、裏面当接板９１の上端方向（矢印Ｕ）に偏倚（Ｏ２−Ｏ２→Ｏ１−Ｏ１方向）した位置でクロスに組み合わせられている。即ち、Ｈ４＜Ｈ５の関係にある。尚、このカバー９は二枚の金属製のプレートを組み合わせて形成してもよいし、プレスなどで一体成型してもよい。また合成樹脂など他の材料を使用して形成してもよい。更に、形状も長矩形に限ることなく楕円形の組み合わせでもよい。
【００３１】
このように形成されているカバー９は、先ず、縦長の裏面当接板９１の下側部分（Ｈ５の部分）を自動補給用メダル投入口５２に嵌入して、その後、下方の移動（図５中、矢印ＳＴ１）させる。次に、裏面当接板９１の上側部分（Ｈ４の部分）を自動補給用メダル投入口５２に嵌入した後に全体を上方に移動（図５中、矢印ＳＴ２）させる。そして、裏面当接板９１の上端部分の形成した取付孔９３を、自動補給用メダル投入口５２の上縁部分に形成されている孔５４に位置合わせいて、その後、一本のスクリュー５５で固定する。このようにして、カバー９０を自動補給用メダル投入口５２の上縁部分に固定することによって、カバー９０の裏面当接板９１の下側部分（Ｈ５の部分）と上側部分（Ｈ４の部分）を自動補給用メダル投入口５２の各々下縁部分と上縁部分の裏面、即ち、背板１４の補給タンク５０側に圧接される。そして、横長の表面当接板９２は、その幅（横長方向）Ｗ３の両端部分の裏面が自動補給用メダル投入口５２の側縁部分表面に圧接される。言い換えれば、自動補給用メダル投入口５２に上下の両端部分と自動補給用メダル投入口５２の側縁部分をカバー９０の裏面当接板９１と表面当接板９２との間に位置することになる。そして、裏面当接板９１で自動補給用メダル投入口５２は、閉塞される状態となる。
【００３２】
ここで、縦長の裏面当接板９１の下側部分（Ｈ５の部分）の高さは、カバー９０をスクリュー５５で固定した状態で自動補給用メダル投入口５２の下縁部分と裏面当接板９１の下端との間に開口が生じないような高さに設定する。即ち、カバー９０を上方に移動させても自動補給用メダル投入口５２の下縁部分と裏面当接板９１の下端との間に開口が生じないように設定する。
【００３３】
この補給シュート８０は、自動補給装置（図示しない）に接続される接続管の接続口８４と、自動補給用メダル投入口との係止片を形成したメダル排出口８６を設けたダクト状に構成されている。具体的には、前壁８１と側壁８２ならびに後壁８３と後壁８３から前壁８１方向の下り傾斜した底壁８５によって、全体的に矩形のダクト形状に形成されている。そして、接続口８４には、自動補給装置（図示しない）に接続された蛇腹管（図示しない）が接続される。メダルは、自動補給装置（図示しない）からこの蛇腹管（図示しない）を介して補給シュート８０に供給され、補給タンク５０に貯留される。
【００３４】
一方、前述の前壁８１に下方には、自動補給用メダル投入口５２と略同形のメダル排出口８６が開口されている。このメダル排出口８６は、前壁８１の下縁を逆凹形状にきり欠くとともに前記底壁８５を前方に延出することによって形成されている。そして、前記底壁８５の開口部分より前方に延出した部分に下方に折曲された係止片８７が形成されている。また、前壁８１と側壁８２の接続部分には、側壁８２を外方に折曲したフランジ８８が形成され、このフランジ８８部分を介して補給シュート８０を背板１４に固定している。
【００３５】
次に、メダル貸出機１を自動補給装置（図示しない）を有する島に配設する方法について説明する。メダル貸出機１は、特に、手動補給用、自動補給用と区別することなく製作し、自動補給用メダル投入口５２をカバー９０で閉塞した状態で遊技店などに搬入する。
そして、自動補給用メダル投入口５２を閉塞するカバー９０を取り付けた状態のメダル貸出機１を島の前に並べて置く。次に、作業員が自動補給用メダル投入口５２を閉塞するカバー９０のスクリュー５５を外すと、カバー９０は、自動補給用メダル投入口５２の側縁をガイドにして、自重で下方にスライド落下する。このとき、カバー９０は、裏面当接板９１が自動補給用メダル投入口５２の上縁から外れるまで、裏面当接板９１と表面当接板で自動補給用メダル投入口の側縁を挟む形で下降する。従って、カバー９０が自動補給用メダル投入口５２内で左右にずれることなく、直下にスライドする。そして、裏面当接板の上の部分が自動補給用メダル投入口５２の上縁から外れると、カバー９０は、自動補給用メダル投入口５２の下縁に当接して、上部筐体１０の外方向へ離脱して、上部筐体１０の内部に落下するようなことはない。このように、手補給方法のメダル貸出機と自動補給方法のメダル貸出機に共通して取り付けておいても、カバー９０の取り外しが極めて簡単容易なため、現地での作業時間の短縮が図れ、しかも取り外したカバーが筐体内部に落下し、メダル貸出機の払出機能を阻害する恐れがない。
【００３６】
このようにして、自動補給用メダル投入口５２からカバー９０を取り外した後に、補給シュート８０を自動補給用メダル投入口５２の取り付ける。即ち、補給シュート８０の前壁８１に形成したメダル排出口８６より補給タンク５０側に延出された底壁８５の先端に折曲して形成されている係止片８７を自動補給用メダル投入口５２に嵌入させ、自動補給用メダル投入口５２の下縁内側に係止させた後に、該係止部分を中心として、補給シュート８０全体を背板１４方向に回転させ、前壁８１を上部筐体１０の背板１４に当接させる。その状態にしてから、最後にフランジ８８部分をスクリューなど任意の方法で背板１４に固定する。
【図面の簡単な説明】
【００３７】
【図１】本発明のメダル貸出機を示した正面図である。
【図２】本発明のメダル貸出機を示した背面図である。
【図３】本発明の要部拡大側面図である。
【図４】図３対応の要部上面図である。
【図５】カバーの取り付け部分の拡大斜視図である。
【符号の説明】
【００３８】
１  メダル貸出機
１０  上部筐体
１１  天板
１２  底板
１３  側板
１４  背板
１５  隔壁
２０  下部筐体
３０  装置収納部
３１  枠
３２  メダル通過孔
４０  制御収納部
４１  制御ボックス
５０  補給タンク
５１  手補給用メダル投入口
５２  自動補給用メダル投入口
５３  供給用フロントパネル
５４  孔
５５  スクリュー
６０  メダル払出装置
６１  ホッパー
６２  払出機
７０  紙幣識別装置
８０  補給シュート
８１  前壁
８２  側壁
８３  後壁
８４  接続口
８５  底壁
８６  メダル排出口
８７  係止片
８８  フランジ
９０  カバー
９１  裏面当接板
９２  表面当接板
９３  取付孔
Ｗ１  自動補給用メダル投入口５２の間口（短手方向）
Ｈ１  自動補給用メダル投入口５２の丈（縦長方向）
Ｗ２  裏面当接板９１の幅（短手方向）
Ｈ２  裏面当接板９１の高さ（縦長方向）
Ｗ３  表面当接板９２の幅（横長方向） 
Ｈ３  表面当接板９２の高さ（短手方向）
Ｈ４  裏面当接板９１の上端と表面当接板９２の上端（短手方向）との高さ
Ｈ５  裏面当接板９１の下端と表面当接板９２の下端（短手方向）との高さ
【図１】
2008099763.tif 000003
【図２】
2008099763.tif 000004
【図３】
2008099763.tif 000005
【図４】
2008099763.tif 000006
【図５】
2008099763.tif 000007